(57)【要約】【課題】１つの通信端末において複数の通信方式による通信が同時に行われる場合であっても、受信品質の劣化を抑えること。【解決手段】動作監視部４１は、ＷｉＭａｘ通信部２０が動作しているか否か、及び、ＣＤＭＡ通信部３０が動作しているか否かを監視し、品質判断部４２は、ＷｉＭａｘ通信及びＣＤＭＡ通信が同時に行われているときに、ＣＤＭＡ通信の受信品質が劣化しているか否か判断し、干渉抑圧部４３は、ＣＤＭＡ通信の受信品質が劣化しているときに、ＣＤＭＡ通信に対する干渉であって、ＷｉＭａｘ通信に起因する干渉を抑圧する処理を行う。【選択図】図１
2014116743.tif 000002
【特許請求の範囲】
【請求項１】
第１の通信方式を用いた第１の通信を行う第１通信部と、
前記第１の通信方式と異なる第２の通信方式を用いた第２の通信を行う第２通信部と、
前記第１の通信及び前記第２の通信が同時に行われているときに、前記第２の通信の受信品質が劣化しているか否か判断する判断部と、
前記受信品質が劣化しているときに、前記第２の通信に対する干渉であって、前記第１の通信に起因する前記干渉を抑圧する抑圧処理を行う抑圧部と、
を具備する通信端末。
【請求項２】
前記抑圧部は、前記第１の通信を停止させる処理を前記抑圧処理として行う、
請求項１に記載の通信端末。
【請求項３】
前記抑圧部は、前記第１の通信における送信レベルを減少させる処理を前記抑圧処理として行う、
請求項１に記載の通信端末。
【請求項４】
前記抑圧部は、前記第１通信部におけるベースバンド信号のパワを減少させることにより前記送信レベルを減少させる、
請求項３に記載の通信端末。
【請求項５】
前記抑圧部は、前記第１通信部に備えられるアンプのゲインを減少させることにより前記送信レベルを減少させる、
請求項３に記載の通信端末。
【請求項６】
前記第１通信部に接続された複数のアンテナ、をさらに具備し、
前記抑圧部は、前記複数のアンテナにおいて、前記第１通信部から出力される信号の送信に用いられるアンテナを切り替える処理を前記抑圧処理として行う、
請求項１に記載の通信端末。
【請求項７】
前記第２通信部は、複数の周波数帯で通信を行うことが可能であり、
前記抑圧部は、前記複数の周波数帯において、前記第２の通信に使用する周波数帯を切り替える処理を前記抑圧処理として行う、
請求項１に記載の通信端末。
【請求項８】
前記第１通信部は、
アンプと、
アンプの後段に配置されるバンドパスフィルタと、
アンプからバンドパスフィルを介してアンテナに至る第１の経路と、
前記アンプから前記バンドパスフィルタを介さずに前記アンテナに至る第２の経路と、
を有し、
前記抑圧部は、前記第２の経路から前記第１の経路に切り替える処理を前記抑圧処理として行う、
請求項１に記載の通信端末。
【請求項９】
前記抑圧部は、互いに異なる複数種類の前記抑圧処理を、前記受信品質の劣化が無くなるまで、優先順位に従って順に行う、
請求項１に記載の通信端末。
【請求項１０】
第１の通信方式を用いた第１の通信、及び、前記第１の通信方式と異なる第２の通信方式を用いた第２の通信の双方を行うことが可能な通信端末における通信方法であって、
前記第１の通信及び前記第２の通信が同時に行われているときに、前記第２の通信の受信品質が劣化しているか否か判断し、
前記受信品質が劣化しているときに、前記第２の通信に対する干渉であって、前記第１の通信に起因する前記干渉を抑圧する抑圧処理を行う、
通信方法。
【発明の詳細な説明】
【技術分野】
【０００１】
本発明は、通信端末及び通信方法に関する。
【背景技術】
【０００２】
近年、携帯電話等の通信端末には、互いに異なる複数の通信方式を用いて通信可能なものがある。例えば、ＣＤＭＡ（Code  Division  Multiple  Access）方式を用いた通信（以下では「ＣＤＭＡ通信」と呼ばれることがある）、及び、ＷｉＭａｘ（Worldwide  Interoperability  for  Microwave  Access）方式を用いた通信（以下では「ＷｉＭａｘ通信」と呼ばれることがある）の双方を行うことが可能な通信端末がある。ＣＤＭＡ通信及びＷｉＭａｘ通信の他にも、ＧＳＭ（Global  System  for  Mobile  Communications）方式（ＧＳＭ（登録商標））、ＵＭＴＳ（Universal  Mobile  Telecommunications  System）方式、Ｗｉ-Ｆｉ（Wireless  Fidelity）方式（Ｗｉ-Ｆｉ（登録商標））、及び、ＢＴ（Bluetooth）方式（Bluetooth（登録商標））等のうちの互いに異なる複数の通信方式を用いて通信可能な通信端末がある。
【０００３】
従来は、一般には、複数の通信方式で通信可能な通信端末でも、いずれかの通信方式を用いた通信中には、他の通信方式を用いた通信が停止されていた。
【先行技術文献】
【特許文献】
【０００４】
【特許文献１】特開２００９−０６０２５０号公報
【特許文献２】特開２００４−２３６２４６号公報
【特許文献３】特開２００４−３６３７２８号公報
【特許文献４】特開２００６−１２９２４７号公報
【特許文献５】特開２００１−２６７９５５号公報
【特許文献６】特開２００５−２５２６０４号公報
【発明の概要】
【発明が解決しようとする課題】
【０００５】
しかし、最近、１つの通信端末において、いずれかの通信方式を用いた通話中にも、他の通信方式を用いてデータ通信を行いたい等、互いに異なる複数の通信方式を同時に使用したいという要求が高まっている。
【０００６】
１つの通信端末において２つの通信方式による通信が同時に行われた場合、例えば以下に示すような原因１〜３により、受信品質の劣化が生じることがある。
【０００７】
＜原因１＞一方の通信方式の送信波のサイドローブ成分による受信帯域雑音が、他方の通信方式のアンテナを介して他方の通信方式の受信機に回り込んで干渉が生じる。これにより、他方の通信方式の受信機において感度抑圧が生じ、受信品質が劣化する。受信帯域雑音に起因する受信品質の劣化は、一方の通信方式が使用する送信周波数帯と、他方の通信方式が使用する受信周波数帯とが比較的近い場合に発生することがある。
＜原因２＞一方の通信方式の送信波自体が、他方の通信方式のアンテナを介して他方の通信方式の受信機に回り込んで干渉が生じる。これにより、他方の通信方式の受信機内のＬＮＡ（Low  Noise  Amplifier）及びミキサーが飽和して感度抑圧が生じ、受信品質が劣化する。
＜原因３＞一方の通信方式の送信波自体が、他方の通信方式のアンテナを介して他方の通信方式の受信機に回り込んで干渉が生じると、一方の通信方式の送信波と他方の通信方式の送信波との間の相互変調の歪み成分が他方の通信方式の受信帯域に落ち込む。これにより、他方の通信方式の受信機において感度抑圧が生じ、受信品質が劣化する。相互変調に起因する受信品質の劣化は、一方の通信方式が使用する送信周波数帯と、他方の通信方式が使用する受信周波数帯とが比較的遠い場合にも、相互の周波数の組合せ次第で発生することがある。
【０００８】
これらの原因により生じる干渉に対し、従来は、設計段階で、アンテナの配置を調節してアンテナ間のアイソレーションを確保すること等により、受信品質の劣化を防止していた。
【０００９】
しかし、近年は、ますます高機能な通信端末が望まれているため、通信端末への実装部品数が非常に増加している状況である。このような状況では、通信端末におけるアンテナの設置場所が限定されてしまうため、設計段階において、アンテナ間のアイソレーションを十分に確保できないことがある。
【００１０】
開示の技術は、上記に鑑みてなされたものであって、１つの通信端末において複数の通信方式による通信が同時に行われる場合であっても、受信品質の劣化を抑えることを目的とする。
【課題を解決するための手段】
【００１１】
開示の態様では、第１の通信方式を用いた第１の通信、及び、前記第１の通信方式と異なる第２の通信方式を用いた第２の通信の双方を行うことが可能な通信端末において、前記第１の通信及び前記第２の通信が同時に行われているときに、前記第２の通信の受信品質が劣化しているか否か判断し、前記受信品質が劣化しているときに、前記第２の通信に対する干渉であって、前記第１の通信に起因する前記干渉を抑圧する抑圧処理を行う。
【発明の効果】
【００１２】
開示の態様によれば、１つの通信端末において複数の通信方式による通信が同時に行われる場合であっても、受信品質の劣化を抑えることができる。
【図面の簡単な説明】
【００１３】
【図１】図１は、実施例１の通信端末の一例を示す機能ブロック図である。
【図２】図２は、実施例１の通信端末の処理の説明に供するフローチャートである。
【図３】図３は、実施例２の通信端末の一例を示す機能ブロック図である。
【図４】図４は、実施例２の通信端末の処理の説明に供するフローチャートである。
【図５】図５は、実施例３の通信端末の一例を示す機能ブロック図である。
【図６】図６は、実施例３の通信端末の処理の説明に供するフローチャートである。
【図７】図７は、実施例４の通信端末の一例を示す機能ブロック図である。
【図８】図８は、実施例４の通信端末の処理の説明に供するフローチャートである。
【図９】図９は、実施例５の通信端末の一例を示す機能ブロック図である。
【図１０】図１０は、実施例５の通信端末の処理の説明に供するフローチャートである。
【図１１】図１１は、実施例６の通信端末の一例を示す機能ブロック図である。
【図１２】図１２は、実施例６の通信端末の処理の説明に供するフローチャートである。
【図１３】図１３は、実施例７の通信端末の処理の説明に供する図である。
【図１４】図１４は、通信端末のハードウェア構成例を示す図である。
【発明を実施するための形態】
【００１４】
以下に、本願の開示する通信端末及び通信方法の実施例を図面に基づいて詳細に説明する。なお、以下の実施例により本願の開示する通信端末及び通信方法が限定されるものではない。また、各実施例において同一の機能を有する構成、及び、同一の処理を行うステップには同一の符号を付し、重複する説明は省略される。
【００１５】
なお、以下では、第１の通信方式がＷｉＭａｘ方式であり、第２の通信方式がＣＤＭＡ方式である場合を、一例として説明する。しかし、第１の通信方式及び第２の通信方式は、ＷｉＭａｘ方式及びＣＤＭＡ方式に限定されず、第１の通信方式と第２の通信方式とは、互いに異なる通信方式であればよい。第１の通信方式及び第２の通信方式としては、ＷｉＭａｘ方式及びＣＤＭＡ方式の他に、ＧＳＭ方式（ＧＳＭ（登録商標））、ＵＭＴＳ方式、ＷｉＦｉ方式（Ｗｉ-Ｆｉ（登録商標））、または、ＢＴ方式（Bluetooth（登録商標））等を採用することが可能である。
【００１６】
［実施例１］
＜通信端末の構成＞
図１は、実施例１の通信端末の一例を示す機能ブロック図である。図１において、通信端末１００は、ＷｉＭａｘ方式に従って通信を行うＷｉＭａｘ通信部２０と、ＣＤＭＡ方式に従って通信を行うＣＤＭＡ通信部３０と、アンテナ２６と、アンテナ３６と、動作監視部４１と、品質判断部４２と、干渉抑圧部４３とを有する。
【００１７】
ＷｉＭａｘ通信部２０は、ベースバンド処理部２１と、ＲＦ（Radio  Frequency）処理部２２と、ＨＰＡ（High  Power  Amplifier）２３と、送受切替部２４と、ＬＮＡ２５とを有し、ＷｉＭａｘ通信を行う。
【００１８】
ベースバンド処理部２１は、ＷｉＭａｘ方式に従って、送信データに対して符号化処理及び変調処理を行ってベースバンド信号を生成し、生成したベースバンド信号をＲＦ処理部２２に出力する。また、ベースバンド処理部２１は、ＲＦ処理部２２から入力される信号に対し、ＷｉＭａｘ方式に従って、復調処理及び復号処理を行って受信データを得る。
【００１９】
ＲＦ処理部２２は、ベースバンド処理部２１から入力されるベースバンド信号に対し、デジタル−アナログ変換処理及びアップコンバート処理を行って、アップコンバート後の信号をＨＰＡ２３に出力する。また、ＲＦ処理部２２は、ＬＮＡ２５から入力される信号に対し、ダウンコンバート処理及びアナログ−デジタル変換処理を行って、変換後の信号をベースバンド処理部２１に出力する。
【００２０】
ＨＰＡ２３は、アップコンバート後の信号のパワを増幅し、パワ増幅後の信号を送受切替部２４に出力する。
【００２１】
送受切替部２４は、一定時間毎に送信区間と受信区間とを切り替え、送信区間では、ＨＰＡ２３から入力された信号をアンテナ２６から送信し、受信区間では、アンテナ２６により受信された信号をＬＮＡ２５に出力する。すなわち、ＷｉＭａｘ通信部２０は、ＴＤＤ（Time  Division  Duplex）により通信を行う。
【００２２】
ＬＮＡ２５は、送受切替部２４から入力された信号のパワを増幅し、パワ増幅後の信号をＲＦ処理部２２に出力する。
【００２３】
ＣＤＭＡ通信部３０は、ベースバンド処理部３１と、ＲＦ処理部３２と、ＨＰＡ３３と、送受分離部３４と、ＬＮＡ３５とを有し、ＣＤＭＡ通信を行う。
【００２４】
ベースバンド処理部３１は、ＣＤＭＡ方式に従って、送信データに対して符号化処理及び変調処理を行ってベースバンド信号を生成し、生成したベースバンド信号をＲＦ処理部３２に出力する。また、ベースバンド処理部３１は、ＲＦ処理部３２から入力される信号に対し、ＣＤＭＡ方式に従って、復調処理及び復号処理を行って受信データを得る。
【００２５】
ＲＦ処理部３２は、ベースバンド処理部３１から入力されるベースバンド信号に対し、デジタル−アナログ変換処理及びアップコンバート処理を行って、アップコンバート後の信号をＨＰＡ３３に出力する。また、ＲＦ処理部３２は、ＬＮＡ３５から入力される信号に対し、ダウンコンバート処理及びアナログ−デジタル変換処理を行って、変換後の信号をベースバンド処理部３１及び品質判断部４２に出力する。
【００２６】
ＨＰＡ３３は、アップコンバート後の信号のパワを増幅し、パワ増幅後の信号を送受分離部３４に出力する。
【００２７】
送受分離部３４は、入力される信号を、所定の送信周波数を有する送信信号と、その送信周波数と異なる所定の受信周波数を有する受信信号とに分離する。すなわち、送受分離部３４は、ＨＰＡ３３から入力された、所定の送信周波数を有する信号をアンテナ３６から送信し、アンテナ３６により受信された、所定の受信周波数を有する信号をＬＮＡ３５に出力する。すなわち、ＣＤＭＡ通信部３０は、ＦＤＤ（Frequency  Division  Duplex）により通信を行う。
【００２８】
ＬＮＡ３５は、送受分離部３４から入力された信号のパワを増幅し、パワ増幅後の信号をＲＦ処理部３２に出力する。
【００２９】
動作監視部４１は、ＷｉＭａｘ通信部２０が動作しているか否か、及び、ＣＤＭＡ通信部３０が動作しているか否かを監視し、監視結果を品質判断部４２に出力する。監視結果として、以下の監視結果１〜３のいずれかが品質判断部４２に出力される。
＜監視結果１＞ＷｉＭａｘ通信部２０のみが動作している。
＜監視結果２＞ＣＤＭＡ通信部３０のみが動作している。
＜監視結果３＞ＷｉＭａｘ通信部２０及びＣＤＭＡ通信部３０の双方が同時に動作している。
【００３０】
品質判断部４２は、上記の監視結果３が入力された場合、すなわち、ＷｉＭａｘ通信及びＣＤＭＡ通信が同時に行われているときに、ＣＤＭＡ通信の受信品質が劣化しているか否か判断し、判断結果を干渉抑圧部４３に出力する。品質判断部４２は、ＲＦ処理部３２から入力される信号を用いて、例えば、Ｅｃ／Ｉｏ（希望波電力／全受信電力）に基づいてＣＤＭＡ通信の受信品質が劣化しているか否か判断する。具体的には、品質判断部４２は、Ｅｃ／Ｉｏが閾値未満であるときは干渉信号の影響で受信品質が劣化していると判断し、Ｅｃ／Ｉｏが閾値以上であるときは受信品質が劣化していないと判断する。なお、受信品質を表す指標は、Ｅｃ／Ｉｏに限定されない。受信品質を表す指標として、Ｅｃ／Ｉｏの他に、例えば、ＦＥＲ（Frame  Error  Rate）、ＢＥＲ（Bit  Error  Rate）、スループット等を用いてもよい。また、品質判断部４２は、上記の監視結果１または監視結果２が入力された場合は、動作しない。
【００３１】
干渉抑圧部４３は、品質判断部４２によって受信品質が劣化していると判断された場合、つまり、ＣＤＭＡ通信の受信品質が劣化しているときに、ＣＤＭＡ通信に対する干渉であって、ＷｉＭａｘ通信に起因する干渉を抑圧する処理（以下では「干渉抑圧処理」と呼ばれることがある）を行う。具体的には、実施例１では、干渉抑圧部４３は、ＷｉＭａｘ通信を停止させる処理を干渉抑圧処理として行う。すなわち、干渉抑圧部４３は、ＣＤＭＡ通信の受信品質が劣化しているときは、ＷｉＭａｘ通信部２０の動作を停止させる。これにより、ＷｉＭａｘ通信部２０のアンテナ２６からの信号の送信が停止する。
【００３２】
＜通信端末の処理＞
図２は、実施例１の通信端末の処理の説明に供するフローチャートである。
【００３３】
品質判断部４２は、ＣＤＭＡ通信の受信品質が劣化しているか否か判断する（ステップＳ１０１）。
【００３４】
受信品質が劣化していないときは（ステップＳ１０１：Ｎｏ）、干渉抑圧部４３は、ＷｉＭａｘ通信部２０の動作を停止させない。よって、ＷｉＭａｘ通信部２０は、送信を継続し（ステップＳ１０２）、処理はステップＳ１０１に戻る。
【００３５】
受信品質が劣化しているときは（ステップＳ１０１：Ｙｅｓ）、干渉抑圧部４３は、ＷｉＭａｘ通信部２０の動作を停止させる。これにより、ＷｉＭａｘ通信部２０は、送信を停止する（ステップＳ１０３）。
【００３６】
干渉抑圧部４３は、ＷｉＭａｘ通信部２０の動作を停止させた後、一定時間が経過していない間は（ステップＳ１０４：Ｎｏ）、ＷｉＭａｘ通信部２０での送信停止を継続する。
【００３７】
干渉抑圧部４３は、ＷｉＭａｘ通信部２０の動作を停止させた後、一定時間が経過すると（ステップＳ１０４：Ｙｅｓ）、ＷｉＭａｘ通信部２０の動作を再開させる。これにより、ＷｉＭａｘ通信部２０は、送信を再開する（ステップＳ１０５）。送信の再開後、処理は、ステップＳ１０１に戻る。
【００３８】
以上のように、実施例１によれば、通信端末１００において、ＷｉＭａｘ通信部１０はＷｉＭａｘ通信を行い、ＣＤＭＡ通信部３０はＣＤＭＡ通信を行う。品質判断部４２は、ＷｉＭａｘ通信及びＣＤＭＡ通信が同時に行われているときに、ＣＤＭＡ通信の受信品質が劣化しているか否か判断する。干渉抑圧部４３は、ＣＤＭＡ通信の受信品質が劣化しているときに、ＣＤＭＡ通信に対する干渉であって、ＷｉＭａｘ通信に起因する干渉を抑圧する抑圧処理を行う。より具体的には、干渉抑圧部４３は、ＣＤＭＡ通信の受信品質が劣化しているときに、ＷｉＭａｘ通信部２０の動作を停止させて、ＷｉＭａｘ通信を停止させる処理を干渉抑圧処理として行う。これにより、ＣＤＭＡ通信の受信品質が劣化しているときに、ＣＤＭＡ通信に対する干渉となる、ＷｉＭａｘ通信での信号送出を止めることができる。よって、通信端末１００においてＷｉＭａｘ通信及びＣＤＭＡ通信の双方が同時に行われてＣＤＭＡ通信の受信品質が劣化しているときに、ＷｉＭａｘ通信での信号送出を止めることにより、ＣＤＭＡ通信の受信品質の劣化を抑えることができる。
【００３９】
［実施例２］
実施例２では、干渉抑圧処理として、ＷｉＭａｘ通信のベースバンド信号のパワを減少させる処理を行う。
【００４０】
＜通信端末の構成＞
図３は、実施例２の通信端末の一例を示す機能ブロック図である。図３において、通信端末２００は、干渉抑圧部４４を有する。
【００４１】
干渉抑圧部４４は、品質判断部４２によって受信品質が劣化していると判断された場合、つまり、ＣＤＭＡ通信の受信品質が劣化しているときに、ＷｉＭａｘ通信部２０のベースバンド処理部２１に対し、信号パワの減少の指示を与える。この指示に従い、ベースバンド処理部２１は、パワを減少させたベースバンド信号を生成する。これにより、ベースバンド処理部２１から出力されるベースバンド信号の出力レベルが減少するため、ＷｉＭａｘ通信部２０のアンテナ２６から送信される信号の送信レベルが減少する。つまり、干渉抑圧部４４は、ＷｉＭａｘ通信部２０におけるベースバンド信号のパワを減少させることにより、ＷｉＭａｘ通信における送信レベルを減少させる。
【００４２】
＜通信端末の処理＞
図４は、実施例２の通信端末の処理の説明に供するフローチャートである。
【００４３】
受信品質が劣化しているときは（ステップＳ１０１：Ｙｅｓ）、干渉抑圧部４４は、ＷｉＭａｘ通信部２０におけるベースバンド信号のパワを減少させる（ステップＳ２０１）。
【００４４】
品質判断部４２は、ベースバンド信号のパワが減少しても、未だＣＤＭＡ通信の受信品質が劣化しているか否か判断する（ステップＳ２０２）。
【００４５】
受信品質が劣化していないときは（ステップＳ２０２：Ｎｏ）、ＷｉＭａｘ通信部２０は送信を継続し（ステップＳ１０２）、処理はステップＳ１０１に戻る。
【００４６】
ベースバンド信号のパワが減少しても、未だ受信品質が劣化しているときは（ステップＳ２０２：Ｙｅｓ）、干渉抑圧部４４は、ベースバンド信号のパワが下限値か否か判断する（ステップＳ２０３）。
【００４７】
ベースバンド信号のパワが下限値に達していないときは（ステップＳ２０３：Ｎｏ）、干渉抑圧部４４は、ＷｉＭａｘ通信部２０におけるベースバンド信号のパワをさらに減少させる（ステップＳ２０１）。
【００４８】
ベースバンド信号のパワが下限値に達しているときは（ステップＳ２０３：Ｙｅｓ）、干渉抑圧部４４は、ＷｉＭａｘ通信部２０の動作を停止させる。これにより、ＷｉＭａｘ通信部２０は、送信を停止する（ステップＳ１０３）。
【００４９】
以上のように、実施例２によれば、通信端末２００において、干渉抑圧部４４は、ＣＤＭＡ通信の受信品質が劣化しているときに、ＷｉＭａｘ通信における送信レベルを減少させる処理を干渉抑圧処理として行う。これにより、ＣＤＭＡ通信の受信品質が劣化しているときに、ＣＤＭＡ通信に対する干渉となる、ＷｉＭａｘ通信による信号の送信レベルを減少させて、干渉信号のレベルを抑えることができる。よって、通信端末２００においてＷｉＭａｘ通信及びＣＤＭＡ通信の双方が同時に行われる場合であっても、ＣＤＭＡ通信の受信品質の劣化を抑えることができる。
【００５０】
より具体的には、干渉抑圧部４４は、ＷｉＭａｘ通信部２０におけるベースバンド信号のパワを減少させることにより、ＷｉＭａｘ通信における送信レベルを減少させる。ベースバンド信号のパワの減少は、簡易な干渉抑圧処理として、上記の原因２または原因３により発生する受信品質の劣化を抑えるのに有効である。
【００５１】
［実施例３］
実施例３では、干渉抑圧処理として、アンプのゲインを減少させる処理を行う。
【００５２】
＜通信端末の構成＞
図５は、実施例３の通信端末の一例を示す機能ブロック図である。図５において、通信端末３００は、干渉抑圧部４５を有する。
【００５３】
干渉抑圧部４５は、品質判断部４２によって受信品質が劣化していると判断された場合、つまり、ＣＤＭＡ通信の受信品質が劣化しているときに、ＷｉＭａｘ通信部２０のＨＰＡ２３のゲインを減少させる。すなわち、干渉抑圧部４５は、ＷｉＭａｘ通信部２０に備えられるＨＰＡ２３のゲインを減少させることにより、ＷｉＭａｘ通信における送信レベルを減少させる。
【００５４】
＜通信端末の処理＞
図６は、実施例３の通信端末の処理の説明に供するフローチャートである。
【００５５】
受信品質が劣化しているときは（ステップＳ１０１：Ｙｅｓ）、干渉抑圧部４５は、ＷｉＭａｘ通信部２０のＨＰＡ２３のゲインを減少させる（ステップＳ３０１）。
【００５６】
品質判断部４２は、ＨＰＡ２３のゲインが減少しても、未だＣＤＭＡ通信の受信品質が劣化しているか否か判断する（ステップＳ２０２）。
【００５７】
受信品質が劣化していないときは（ステップＳ２０２：Ｎｏ）、ＷｉＭａｘ通信部２０は送信を継続し（ステップＳ１０２）、処理はステップＳ１０１に戻る。
【００５８】
ＨＰＡ２３のゲインが減少しても、未だ受信品質が劣化しているときは（ステップＳ２０２：Ｙｅｓ）、干渉抑圧部４５は、ＨＰＡ２３のゲインが下限値か否か判断する（ステップＳ３０２）。
【００５９】
ＨＰＡ２３のゲインが下限値に達していないときは（ステップＳ３０２：Ｎｏ）、干渉抑圧部４５は、ＷｉＭａｘ通信部２０のＨＰＡ２３のゲインをさらに減少させる（ステップＳ３０１）。
【００６０】
ＨＰＡ２３のゲインが下限値に達しているときは（ステップＳ３０２：Ｙｅｓ）、干渉抑圧部４５は、ＷｉＭａｘ通信部２０の動作を停止させる。これにより、ＷｉＭａｘ通信部２０は、送信を停止する（ステップＳ１０３）。
【００６１】
以上のように、実施例３によれば、通信端末３００において、干渉抑圧部４５は、ＣＤＭＡ通信の受信品質が劣化しているときに、ＷｉＭａｘ通信における送信レベルを減少させる処理を干渉抑圧処理として行う。これにより、ＣＤＭＡ通信の受信品質が劣化しているときに、ＣＤＭＡ通信に対する干渉となる、ＷｉＭａｘ通信による信号の送信レベルを減少させて、干渉信号のレベルを抑えることができる。よって、通信端末３００においてＷｉＭａｘ通信及びＣＤＭＡ通信の双方が同時に行われる場合であっても、ＣＤＭＡ通信の受信品質の劣化を抑えることができる。
【００６２】
より具体的には、干渉抑圧部４５は、ＷｉＭａｘ通信部２０に備えられるＨＰＡ２３のゲインを減少させることにより、ＷｉＭａｘ通信における送信レベルを減少させる。受信帯域雑音の大きさはＨＰＡ２３のゲインの大きさと関係する。このため、ＨＰＡ２３のゲインの減少は、簡易な干渉抑圧処理として、上記の原因２または原因３により発生する受信品質の劣化を抑えるのに有効であるとともに、上記原因１により発生する受信品質の劣化を抑えるのに特に有効である。
【００６３】
［実施例４］
通信端末は、ユーザの手持ちの状態での使用、ユーザの任意の場所に置かれた状態での使用等、様々な環境で使用されるため、通信端末の使用環境に応じて通信端末のアンテナ特性が変化する。また、それぞれのアンテナのアンテナ利得は独立して変化する。そこで、実施例４では、干渉抑圧処理として、複数のアンテナにおいて信号の送信に用いられるアンテナを切り替える処理を行う。
【００６４】
＜通信端末の構成＞
図７は、実施例４の通信端末の一例を示す機能ブロック図である。図７において、通信端末４００は、スイッチ２７と、アンテナ２６−１と、アンテナ２６−２と、干渉抑圧部４６とを有する。アンテナ２６−１，２６−２は、スイッチ２７を介して、送受切替部２４に接続される。
【００６５】
スイッチ２７がａ側に接続されている場合、送受切替部２４から出力された信号は、アンテナ２６−１から送信される。一方で、スイッチ２７がｂ側に接続されている場合、送受切替部２４から出力された信号は、アンテナ２６−２から送信される。
【００６６】
ここで、ＷｉＭａｘ通信部２０のアンテナと、ＣＤＭＡ通信部３０のアンテナとの間の結合量が大きい場合は、ＣＤＭＡ通信の受信品質が劣化する。
【００６７】
そこで、干渉抑圧部４６は、品質判断部４２によって受信品質が劣化していると判断された場合、ａ側にあるスイッチ２７をｂ側に切り替える、または、ｂ側にあるスイッチ２７をａ側に切り替える。すなわち、干渉抑圧部４６は、ＣＤＭＡ通信の受信品質が劣化しているときに、アンテナ２６−１とアンテナ２６−２との間で、ＷｉＭａｘ通信部２０から出力される信号の送信に用いられるアンテナを切り替える。これにより、ＷｉＭａｘ通信部２０のアンテナと、ＣＤＭＡ通信部３０のアンテナとの間の結合量が変化する。
【００６８】
＜通信端末の処理＞
図８は、実施例４の通信端末の処理の説明に供するフローチャートである。
【００６９】
受信品質が劣化しているときは（ステップＳ１０１：Ｙｅｓ）、干渉抑圧部４６は、アンテナ２６−１とアンテナ２６−２との間で、ＷｉＭａｘ通信部２０から出力される信号の送信に用いられるアンテナを切り替える（ステップＳ４０１）。
【００７０】
干渉抑圧部４６は、アンテナを切り替えた後、一定時間が経過していない間は（ステップＳ１０４：Ｎｏ）、アンテナの切替状態を維持する。
【００７１】
アンテナを切り替えた後、一定時間が経過すると（ステップＳ１０４：Ｙｅｓ）、処理はステップＳ１０１に戻る。
【００７２】
以上のように、実施例４によれば、通信端末４００において、干渉抑圧部４６は、ＣＤＭＡ通信の受信品質が劣化しているときに、ＷｉＭａｘ通信部２０から出力される信号の送信に用いられるアンテナを切り替える処理を干渉抑圧処理として行う。これにより、ＷｉＭａｘ通信部２０のアンテナと、ＣＤＭＡ通信部３０のアンテナとの間の結合量が変化する。例えば、アンテナ２６−２とアンテナ３６との間の結合量が、アンテナ２６−１とアンテナ３６との間の結合量よりも小さい場合がある。よって、この場合には、ＷｉＭａｘ通信に用いられるアンテナをアンテナ２６−１からアンテナ２６−２に切り替えることにより、ＷｉＭａｘ通信に用いられるアンテナと、ＣＤＭＡ通信に用いられるアンテナとの間の結合量が減少し、ＷｉＭａｘ通信からＣＤＭＡ通信への干渉を減少できる。よって、通信端末４００においてＷｉＭａｘ通信及びＣＤＭＡ通信の双方が同時に行われる場合であっても、ＣＤＭＡ通信の受信品質の劣化を抑えることができる。
【００７３】
［実施例５］
実施例５では、干渉抑圧処理として、ＣＤＭＡ通信に使用する周波数帯を切り替える処理を行う。
【００７４】
＜通信端末の構成＞
図９は、実施例５の通信端末の一例を示す機能ブロック図である。図９において、通信端末５００は、複数のバンドクラスでＣＤＭＡ通信を行うことが可能である。ここで、バンドクラスとは、通信に用いられる周波数帯を言う。例えば、バンドクラス０として８００メガＨｚ帯が定義され、バンドクラス６として２ギガＨｚ帯が定義される。
【００７５】
通信端末５００は、干渉抑圧部４７を有する。また、ＣＤＭＡ通信部３０は、２ギガＨｚ帯通信部３０−１と、８００メガＨｚ帯通信部３０−２とを有する。
【００７６】
２ギガＨｚ帯通信部３０−１は、ＲＦ処理部３２−１と、ＨＰＡ３３−１と、送受分離部３４−１と、ＬＮＡ３５−１とを有し、２ギガＨｚ帯でのＣＤＭＡ通信を行う。２ギガＨｚ帯通信部３０−１は、アンテナ３６−１に接続される。
【００７７】
８００メガＨｚ帯通信部３０−２は、ＲＦ処理部３２−２と、ＨＰＡ３３−２と、送受分離部３４−２と、ＬＮＡ３５−２とを有し、８００メガＨｚ帯でのＣＤＭＡ通信を行う。８００メガＨｚ帯通信部３０−２は、アンテナ３６−２に接続される。
【００７８】
ＲＦ処理部３２−１は、ベースバンド信号を２ギガＨｚ帯の周波数にアップコンバートする点以外は、ＲＦ処理部３２と同一の処理を行う。また、ＲＦ処理部３２−２は、ベースバンド信号を８００メガＨｚ帯の周波数にアップコンバートする点以外は、ＲＦ処理部３２と同一の処理を行う。また、ＨＰＡ３３−１，３３−２、送受分離部３４−１，３４−２、ＬＮＡ３５−１，３５−２はそれぞれ、ＨＰＡ３３、送受分離部３４、ＬＮＡ３５と同一の処理を行うため、説明を省略する。
【００７９】
干渉抑圧部４７は、品質判断部４２によって受信品質が劣化していると判断された場合、２ギガＨｚ帯通信部３０−１の動作を停止させる一方で８００メガＨｚ帯通信部３０−２の動作を開始させる、または、８００メガＨｚ帯通信部３０−２の動作を停止させる一方で２ギガＨｚ帯通信部３０−１の動作を開始させる。すなわち、干渉抑圧部４７は、ＣＤＭＡ通信の受信品質が劣化しているときに、２ギガＨｚ帯と８００メガＨｚ帯との間において、ＣＤＭＡ通信に使用する周波数帯を切り替える。
【００８０】
＜通信端末の処理＞
図１０は、実施例５の通信端末の処理の説明に供するフローチャートである。
【００８１】
受信品質が劣化しているときは（ステップＳ１０１：Ｙｅｓ）、干渉抑圧部４７は、２ギガＨｚ帯通信部３０−１及び８００メガＨｚ帯通信部３０−２のうち、一方の動作を停止させ、他方の動作を開始させる。すなわち、干渉抑圧部４７は、２ギガＨｚ帯と８００メガＨｚ帯との間において、バンドクラスを切り替える（ステップＳ５０１）。
【００８２】
干渉抑圧部４７は、バンドクラスを切り替えた後、一定時間が経過していない間は（ステップＳ１０４：Ｎｏ）、バンドクラスの切替状態を維持する。
【００８３】
バンドクラスを切り替えた後、一定時間が経過すると（ステップＳ１０４：Ｙｅｓ）、処理はステップＳ１０１に戻る。
【００８４】
以上のように、実施例５によれば、通信端末５００において、干渉抑圧部４７は、ＣＤＭＡ通信の受信品質が劣化しているときに、ＣＤＭＡ通信部３０が通信を行うことが可能な２ギガＨｚ帯と８００メガＨｚ帯とにおいて、ＣＤＭＡ通信に使用する周波数を切り替える処理を干渉抑圧処理として行う。これにより、ＣＤＭＡ通信の受信周波数帯が変化する。ＣＤＭＡ通信に使用する周波数帯を切り替えることにより、ＣＤＭＡ通信の受信周波数帯が、ＷｉＭａｘ通信の送信周波数帯と異なる場合がある。よって、この場合には、ＣＤＭＡ通信に使用する周波数帯を切り替えることにより、相互変調の歪み成分が減少し、ＷｉＭａｘ通信からＣＤＭＡ通信への干渉を減少できる。よって、通信端末５００においてＷｉＭａｘ通信及びＣＤＭＡ通信の双方が同時に行われる場合であっても、ＣＤＭＡ通信の受信品質の劣化を抑えることができる。
【００８５】
［実施例６］
実施例６では、干渉抑圧処理として、送信信号のアンテナに至る経路を、ＢＰＦ（Band  Path  Filter）を介さない経路と、ＢＰＦを介す経路とを切り替える処理を行う。
【００８６】
＜通信端末の構成＞
図１１は、実施例６の通信端末の一例を示す機能ブロック図である。図１１において、通信端末６００のＷｉＭａｘ通信部２０は、ＢＰＦ２９と、スイッチ２８−１と、スイッチ２８−２とを有する。スイッチ２８−１及びスイッチ２８−２がｂ側に接続された場合には、ＨＰＡ２３から出力された信号は、ＢＰＦ２９を介して、送受切替部２４に入力される。一方で、スイッチ２８−１及びスイッチ２８−２がａ側に接続された場合には、ＨＰＡ２３から出力された信号は、ＢＰＦ２９を介さずに、送受切替部２４に入力される。このように、実施例６のＷｉＭａｘ通信部２０は、ＨＰＡ２３の後段に配置されるＢＰＦ２９と、ＨＰＡ２３からＢＰＦ２９を介してアンテナ２６に至る第１の経路と、ＨＰＡ２３からＢＰＦ２９を介さずにアンテナ２６に至る第２の経路とを有する。また、通信端末６００は、干渉抑圧部４８を有する。
【００８７】
送信信号による受信帯域雑音は、主に、ＨＰＡ２３の増幅処理によって生じる。そこで、ＢＰＦ２９は、ＨＰＡ２３から出力された信号にフィルタ処理を施し、所定の通過帯域の信号のみを送受切替部２４に出力する。つまり、ＢＰＦ２９は、ＨＰＡ２３から出力された信号において、受信帯域雑音を抑圧する処理を行う。
【００８８】
干渉抑圧部４８は、品質判断部４２によって受信品質が劣化していると判断された場合、ａ側にあるスイッチ２８−１及びａ側にあるスイッチ２８−２の双方をｂ側に切り替える。すなわち、干渉抑圧部４８は、ＣＤＭＡ通信の受信品質が劣化しているときに、ＢＰＦ２９を介さない第２の経路から、ＢＰＦを介する第１の経路に切り替える。
【００８９】
＜通信端末の処理＞
図１２は、実施例６の通信端末の処理の説明に供するフローチャートである。
【００９０】
受信品質が劣化しているときは（ステップＳ１０１：Ｙｅｓ）、干渉抑圧部４８は、スイッチ２８−１及び２８−２をｂ側に切り替えて、ＨＰＡ２３から出力された信号の経路を、ＢＰＦ２９を介さない第２の経路から、ＢＰＦ２９を介する第１の経路に切り替える（ステップＳ６０１）。
【００９１】
干渉抑圧部４８は、経路を切り替えた後、一定時間が経過していない間は（ステップＳ１０４：Ｎｏ）、経路の切替状態を維持する。
【００９２】
経路を切り替えた後、一定時間が経過すると（ステップＳ１０４：Ｙｅｓ）、干渉抑圧部４８は、スイッチ２８−１及び２８−２をａ側に切り替えて、ＨＰＡ２３から出力された信号の経路を、ＢＰＦ２９を介する第１の経路から、ＢＰＦ２９を介さない第２の経路に切り替える（ステップＳ６０２）。第２の経路への切り替え後、処理はステップＳ１０１に戻る。
【００９３】
以上のように、実施例６によれば、通信端末６００において、干渉抑圧部４８は、ＣＤＭＡ通信の受信品質が劣化していないときは、ＢＰＦ２９を介さない第２の経路を使用する。一方で、干渉抑圧部４８は、ＣＤＭＡ通信の受信品質が劣化しているときは、ＢＰＦ２９を介する第１の経路を使用する。すなわち、干渉抑圧部４８は、ＣＤＭＡ通信の受信品質が劣化しているときに、ＨＰＡ２３から出力される信号のアンテナ２６に至る経路を、ＢＰＦ２９を介さない第２の経路から、ＢＰＦ２９を介する第１の経路に切り替える処理を干渉抑圧処理として行う。これにより、ＣＤＭＡ通信の受信品質が劣化しているときに、ＷｉＭａｘ通信部２０から送信される信号による受信帯域雑音を抑圧することができ、ＷｉＭａｘ通信からＣＤＭＡ通信への干渉を減少できる。よって、通信端末６００においてＷｉＭａｘ通信及びＣＤＭＡ通信の双方が同時に行われる場合であっても、ＣＤＭＡ通信の受信品質の劣化を抑えることができる。
【００９４】
［実施例７］
実施例７は、上記の実施例１〜６を組み合わせて行うものである。
【００９５】
実施例１〜６のうちいくつかの実施例を適宜組合せて実施することも可能である。また、実施例１〜６のうちいくつかの実施例を組み合わせて実施する場合、優先順位に従って順に実施するのが好ましい。例えば、実施することによるメリットがより大きい実施例ほど、優先順位をより高くして複数の実施例を実施するとよい。そこで、実施例７では、実施例１〜６に記載の互いに異なる複数種類の干渉抑圧処理を、ＣＤＭＡ通信の受信品質の劣化が無くなるまで、優先順位に従って順に行う。具体的には、例えば、実施例７の干渉抑圧部（図示せず）は、図１３に示す優先順位に従って、干渉抑圧処理を行う。
【００９６】
図１３は、実施例７の通信端末の処理の説明に供する図である。図１３に示すように、ここでは、優先順位が、実施例４，６，５，３，２，１の順に定められている。また、各実施例における干渉抑圧処理は、上述した通りである。実施例７の干渉抑圧部は、ＣＤＭＡ通信の受信品質が劣化しているときは、まず、実施例４の干渉抑圧処理を行う。また、実施例４の干渉抑圧処理が行われても未だＣＤＭＡ通信の受信品質が劣化しているときは、実施例７の干渉抑圧部は、次いで、実施例６の干渉抑圧処理を行う。以下同様にして、実施例７の干渉抑圧部は、実施例５，３，２，１の各干渉抑圧処理を、ＣＤＭＡ通信の受信品質の劣化が無くなるまで、順に行う。
【００９７】
ここで、各実施例の干渉抑圧処理によるメリットについて説明する。実施例２〜６の干渉抑圧処理では、ＷｉＭａｘ通信での送信を停止させないため、送信が中断しないというメリットがある。実施例１，４〜６の干渉抑圧処理では、ＷｉＭａｘ通信の送信レベルを低下させないため、ＷｉＭａｘ通信のスループットが低下しないというメリットがある。実施例１〜４，６の干渉抑圧処理では、地域によって特定のバンドクラスしか使用できないことがある場合でも、ＣＤＭＡ通信の通信エリアが制限されないというメリットがある。実施例１〜５の干渉抑圧処理では、ＢＰＦ２９を介することによる電力損失が生じないというメリットがある。図１３では、これらのメリットの大きさを比較考慮して優先順位を設定した。
【００９８】
なお、上記説明では、実施例１〜６のすべてを組み合わせて行う場合を一例として説明した。しかし、実施例１〜６のうちいくつかの実施例を適宜組合せて実施してもよい。
【００９９】
以上のように、実施例７によれば、互いに異なる複数種類の干渉抑圧処理を、ＣＤＭＡ通信の受信品質の劣化が無くなるまで、優先順位に従って順に行う。これにより、複数種類の干渉抑圧処理のうちデメリットのより小さい干渉抑圧処理から順に実施できるため、干渉抑圧処理を効率的に実施することができる。
【０１００】
［他の実施例］
［１］実施例１〜６の通信端末１００〜６００は、次のようなハードウェア構成により実現することができる。図１４は、通信端末のハードウェア構成例を示す図である。図１４に示すように、通信端末１００，２００，３００，４００，５００，６００は、ハードウェアの構成要素として、アンテナ１０ａ−１〜１０ａ−ｎと、ＲＦ回路１０ｂ−１〜１０ｂ−ｎと、ＣＰＵ（Central  Processing  Unit）１０ｃと、ＦＰＧＡ（Field  Programmable  Gate  Array）１０ｄと、メモリ１０ｅとを有する。メモリ１０ｅは、例えば、ＳＤＲＡＭ等のＲＡＭ、ＲＯＭ、フラッシュメモリにより構成される。アンテナ２６，３６，２６−１，２６−２，３６−１，３６−２は、アンテナ１０ａ−１〜１０ａ−ｎにより実現される。ベースバンド処理部２１，３１と、動作監視部４１と、品質判断部４２と、干渉抑圧部４３，４４，４５，４６，４７，４８とは、ＣＰＵ１０ｃまたはＦＰＧＡ１０ｄ、及び、メモリ１０ｅにより実現される。ＲＦ処理部２２，３２，３２−１，３２−２と、ＨＰＡ２３，３３，３３−１，３３−２と、ＬＮＡ２５，３５，３５−１，３５−２と、送受切替部２４と、送受分離部３４，３４−１，３４−２と、スイッチ２７，２８−１，２８−２と、ＢＰＦ２９とは、ＲＦ回路１０ｂ−１〜１０ｂ−ｎにより実現される。
【０１０１】
［２］上記説明における各種の処理は、予め用意されたプログラムをＣＰＵに実行させることによっても実現できる。例えば、動作監視部４１と、品質判断部４２と、干渉抑圧部４３，４４，４５，４６，４７，４８とによって実行される各処理に対応するプログラムが予めメモリに記憶され、各プログラムがＣＰＵへ読み出されてプロセスとして機能してもよい。また、各プログラムは、必ずしも予めメモリに記憶される必要はない。すなわち、例えば、通信端末１００〜６００に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムがＣＰＵへ読み出されてプロセスとして機能してもよい。また例えば、インターネット、ＬＡＮ、ＷＡＮ等を介して無線または有線により通信端末１００〜６００に接続されるコンピュータまたはサーバ等に各プログラムが予め記憶され、各プログラムがＣＰＵへ読み出されてプロセスとして機能してもよい。
【符号の説明】
【０１０２】
１００，２００，３００，４００，５００，６００  通信端末
２０  ＷｉＭａｘ通信部
２７，２８−１，２８−２  スイッチ  
２９  ＢＰＦ
３０  ＣＤＭＡ通信部
３０−１  ２ギガＨｚ帯通信部
３０−２  ８００メガＨｚ帯通信部
４１  動作監視部
４２  品質判断部
４３，４４，４５，４６，４７，４８  干渉抑圧部
【図１】
2014116743.tif 000003
【図２】
2014116743.tif 000004
【図３】
2014116743.tif 000005
【図４】
2014116743.tif 000006
【図５】
2014116743.tif 000007
【図６】
2014116743.tif 000008
【図７】
2014116743.tif 000009
【図８】
2014116743.tif 000010
【図９】
2014116743.tif 000011
【図１０】
2014116743.tif 000012
【図１１】
2014116743.tif 000013
【図１２】
2014116743.tif 000014
【図１３】
2014116743.tif 000015
【図１４】
2014116743.tif 000016